(57)【要約】      （修正有）【課題】印刷用紙のファンアウトに対応させて容易にドット見当を一致させることの出来る刷板を得る製版方法若しくは製版装置の提供。【解決手段】周面に版面部１３Ａと非版面部１３Ｂとが存在する版胴１３に対面しながら該版胴の回転軸と平行な副走査方向に移動可能な書込装置２１と、該書込装置の描画方向と直交する主走査方向への移動速度を制御する速度制御手段とにより、該版面部に画像を描画する刷版の製版において、前記速度制御手段は、前記版面部のファンアウト量に基づいて版面部から非版面部、又は非版面部から版面部への書込装置の前記移動速度を制御して、画像が形成される刷版の版面部に、印刷用紙のファンアウト量に対応させて刷版のくわえ尻側を該刷版の巻装方向と直交する方向に伸ばした形で画像を描画した刷版を得る。【選択図】図３
2006085181.tif 000002
【特許請求の範囲】
【請求項１】
周面に版面部と非版面部とが存在する版胴に対面しながら該版胴の回転軸と平行な副走査方向に移動可能な書込装置と、該書込装置の描画方向と直交する主走査方向への移動速度を制御する速度制御手段とにより、該版面部に画像を描画する刷版の製版方法において、
前記速度制御手段は、前記版面部のファンアウト量に基づいて版面部から非版面部、又は非版面部から版面部への書込装置の前記移動速度を制御することを特徴とする刷版の製版方法。
【請求項２】
前記速度制御装置は、前記版面部で遅延又は増速した移動量を非版面部で戻すための制御であることを特徴とする請求項１記載の刷版の製版方法。
【請求項３】
前記ファンアウト量は、紙種や版材種類等に基づく補正マップからの補正データにより算出されることを特徴とする請求項１又は２記載の刷版の製版方法。
【請求項４】
版面部と非版面部とを周面に有する回転胴に対面して該回転胴の回転軸と平行な副走査方向に移動可能な書込装置と、該書込装置の描画方向と直交する主走査方向への移動速度を制御する速度制御手段と、を有する製版装置において、
前記速度制御手段は、前記版面部のファンアウト量に基づいて該版面部から非版面部、又は非版面部から版面部への前記書込装置の移動速度を制御して描画するように構成されてなることを特徴とする製版装置。
【請求項５】
版面部と非版面部とを有する刷版の版面部に画像が描画されてなる刷版において、
画像が形成される刷版の版面部に、印刷用紙のファンアウト量に対応させて刷版のくわえ尻側を該刷版の巻装方向と直交する方向に伸ばした形で画像を描画したことを特徴とする刷版。
【請求項６】
版面部と非版面部とを有する刷版の版面部に画像を描画する書込装置を具えた製版装置において、
前記書込装置により刷版の版面部に画像を描画する際に、印刷用紙のファンアウト量に対応させて刷版のくわえ尻側を該刷版の巻装方向と直交する方向に伸ばした形で画像を描画することを特徴とする製版装置。
【発明の詳細な説明】
【技術分野】
【０００１】
本発明は、印刷機上で版胴上に巻回された版に製版を行う機上製版枚葉式印刷機に係り、特に印刷するインキ各色毎に版胴と圧胴を含む複数の印刷機本体を具えた刷版の製版方法とその装置に関する。
【背景技術】
【０００２】
従来より積層状態にある印刷用紙を一枚ずつくわえて加速しながら印刷機本体側に受け渡す給紙装置と、印刷終了後の印刷用紙を積層収納する排紙装置と、該給紙装置と排紙装置間に配設され、インキ供給装置より版胴に巻回されている刷版の絵柄部分にシアン、マゼンダ、イエロー若しくはブラックの対応するインキを転移させ、該インキを圧胴上に搬送されている印刷用紙に順次転移する枚葉式印刷機械は公知であり、かかる印刷機械には、シアン、マゼンダ、イエロー及びブラックの各色毎に、版胴と圧胴を含む４つの印刷ステーションを具え、前記各色を順次転移するステーション型印刷機（特許文献１等）が主流である。
【０００３】
そしてこのような印刷機の内、特にオフセット印刷機においては、湿し水を使用するために、印刷用紙の含有水分や表面性の不均一により、一般に用紙のくわえじりの印刷画像が扇状に拡がるファンアウト現象が生じる。
然も多印刷ステーション型の印刷機においては、給紙部より供給された印刷用紙の先端を圧胴の爪で保持しながら中間胴を介して順次、次の印刷ステーションに受け渡しさせながら搬送するものであるために、各ステーション毎でファンアウト量が異なる。
【０００４】
より具体的には第１印刷ステーション１３Ｃ（例えばシアン）、第２印刷ステーション１３Ｍ（例えばマゼンダ）、第３印刷ステーション１３Ｙ（例えばイエロー）及び第４印刷ステーション１３Ｂ（例えばブラック）に進むにつれ用紙の尻が順に徐々に拡がる。（図３（Ｂ）参照）
【０００５】
一方上記印刷機に用いる刷版は、従来から別の所で作成されたものを、印刷機の版胴に取り付けているが、近年刷版焼付精度向上による刷出し時間の短縮、印刷品質の向上、損紙の低減などの目的で、各印刷ステーションの版胴に夫々対面配置させた製版装置により、版胴表面に取り付けられた未露光の刷材に前記製版装置を利用して印刷機上で印刷絵柄を露光・現像する機上製版装置が存在する。
【０００６】
そしてこのような製版装置は、移動軸２３により版胴１３と平行に移動するレーザ等のビーム書込装置を用いて画像信号を版材に記録するもので、書込装置２１より出力される露光信号（ラスターデータ）の出力タイミングに合わせて版胴１３の同期回転（主走査方向）と移動軸２３による書込装置２１の軸方向（副走査方向）の移動を行いながら、露光書込を行うものであるために、版胴１３に巻き付けた版面１３Ａに書き込まれる絵柄（ビットデータ）はスパイラル状に斜め方向に書き込まれることになる。（図３（Ａ）参照）
【０００７】
一方、前記版面上に書き込まれる絵柄は前記ラスターデータを可能な限り忠実に再現する事を原則としているために、原稿元データと同一縮尺となる。
又、機上製版装置ではなく移動軸により版胴と平行に移動するレーザ等のビーム書込装置を用いて画像信号を版材に記録する製版装置は特許文献２等で公知である。
【０００８】
【特許文献１】特表平６−５０７３５３号公報
【特許文献２】国際公開ＷＯ９９／０８８７２号公報
【発明の開示】
【発明が解決しようとする課題】
【０００９】
即ち、各印刷ステーション毎にファンアウト量が異なるにも拘わらず、同一縮尺で版面が作成されるために、各印刷ステーション毎で印刷された各色の絵柄は、夫々のファンアウト分だけ色間見当がずれる結果になる。
【００１０】
かかる色間見当のずれを補正するために、従来はファンアウト万力を用いて前記刷板の尻側を引き延ばし、色間見当を合せるようにしているが、前記ファンアウト量に対応する尻拡げ量は版胴左右幅が９００ｍｍの場合、その拡げ量が最大２００μｍ前後と極めて少ないために、その調整に熟練を要す。
【００１１】
本発明はかかる技術的課題に鑑み、例えばシアン、マゼンダ、イエロー及びブラック等の各色の印刷ステーション毎にファンアウト量が異なる場合にも、各印刷ステーション毎で印刷された各色の絵柄を、夫々のファンアウトに対応させて容易に色間見当を一致させることの出来る刷版の製版方法とその装置を提供することを目的とする。
【課題を解決するための手段】
【００１２】
本発明はかかる課題を解決するために、請求項１記載の発明は、周面に版面部と非版面部とが存在する版胴に対面しながら該版胴の回転軸と平行な副走査方向に移動可能な書込装置と、該書込装置の描画方向と直交する主走査方向への移動速度を制御する速度制御手段とにより、該版面部に画像を描画する刷版の製版方法において、
前記速度制御手段は、前記版面部のファンアウト量に基づいて版面部から非版面部、又は非版面部から版面部への書込装置の前記移動速度を制御することを特徴とする刷版の製版方法を提案する。
又前記発明を実施する好ましい装置として版面部と非版面部とを周面に有する回転胴に対面して該回転胴の回転軸と平行な副走査方向に移動可能な書込装置と、該書込装置の描画方向と直交する主走査方向への移動速度を制御する速度制御手段と、を有する製版装置において、
前記速度制御手段は、前記版面部のファンアウト量に基づいて該版面部から非版面部、又は非版面部から版面部への前記書込装置の移動速度を制御して描画するように構成されてなることを特徴とする製版装置を提案する。
この場合、上記移動速度を制御するための補正量は、ファンアウトの物理量を補正するために行われるもので、必ずしも一次関数で近似できるものとは限らず、複次関数若しくはファンアウトの物理量に対応したテーブルを用いて補正量を決定しても良い。又前記ファンアウト量は、紙種や版材種類等に基づく補正マップからの補正データにより算出される。
【００１３】
即ち、より具体的には請求項２記載の発明のように、前記速度制御装置は、前記版面部で遅延又は増速した移動量を非版面部で戻すための制御であり、前記書込装置の版胴に対する相対的移動速度を版面部側で増加し、非版面部側で減少するように、版胴の回転速度と書込装置の副走査方向の移動速度を制御してもよく、その逆でも良い。更に前記相対的移動速度の版面部における減速若しくは増速量と非版面部における減速若しくは増速量は書込装置が版胴の中心より駆動側（主走査方向始端側）か操作端側（主走査方向終端）かによって異なる。
即ち図５に示すように、前記版胴のほぼ中心位置を基準速度（平均速度Ａｖ）としてした場合、書込装置位置が「駆動端＋１０」、「駆動端＋１００」「中央」「操作端＋１０」「操作端＋１００」との夫々の位置において、その増減速変化量は、版面部相対速度側においては、「Ａｖ−１００」、「Ａｖ−１０」、「Ａｖ±０」、「Ａｖ＋１０」「Ａｖ＋１００」のように変化し、一方非版面部相対速度側においては、「Ａｖ＋２５０」、「Ａｖ＋２１５」、「Ａｖ±０」、「Ａｖ−２１５」「Ａｖ−２５０」のように変化する。
したがって前記版胴のほぼ中心位置を基準速度として該中心位置を境に、前記書込装置の版胴に対する版面部における相対的移動速度の増速若しくは減速量が、非版面部における減速若しくは増速量に対応して異ならせ、その版胴回転毎の書込み開始位置は常に版面上で同じ間隔を維持するように前記異ならせ量を制御する。
【００１４】
請求項６記載の発明は、ファンアウトに着目して特徴を出したもので、版面部と非版面部とを有する刷版の版面部に画像を描画する書込装置を具えた製版装置において、
前記書込装置により刷版の版面部に画像を描画する際に、印刷用紙のファンアウト量に対応させて刷版のくわえ尻側を該刷版の巻装方向と直交する方向に伸ばした形で画像を描画することを特徴とする。
【００１５】
請求項５記載の発明は、刷版に特徴を持たせたもので、版面部と非版面部とを有する刷版の版面部に画像が描画されてなる刷版において、
画像が形成される刷版の版面部に、印刷用紙のファンアウト量に対応させて刷版のくわえ尻側を該刷版の巻装方向と直交する方向に伸ばした形で画像を描画したことを特徴とする。
【００１６】
尚、請求項４記載の発明を更に具体的に説明すると、前記回転胴の回転角検出手段と、書込装置における副走査方向の移動速度検出手段と、回転胴一回転周期毎の版面への書込みタイミングを検知するタイミング検知手段と、前記タイミング検知手段の信号に基づいて前記版胴若しくは書込装置の少なくとも一方の駆動速度を制御する速度制御手段を備えるのが好ましく、前記タイミング検知手段の検知信号に基づいて、前記速度制御手段を切り替えて前記書込装置の版胴に対する相対的移動速度を制御すればよい。
【００１７】
更に、前記切り替えタイミング部分は、例えば前記非版面部から版面部への速度切り替えは、版胴（回転胴）一回転周期毎の版面への書込み開始タイミングを検知するタイミング検知手段よりの検知信号に基づいて行い、又前記版面部から非版面部への速度切り替えは、版胴（回転胴）の回転角検出手段よりの検知信号に基づいて行う。
尚、この場合のタイミング切り替えは、必ずしも前記構成のみに限定されるものではなく、前記非版面部から版面部への速度切り替えも、版胴（回転胴）の回転角検出手段よりの検知信号に基づいて行ってもよく、又前記版面部から非版面部への速度切り替えは版胴（回転胴）一回転周期毎の版面への書込み終期タイミングを検知するタイミング検知手段よりの検知信号に基づいて行ってもよい。
【発明の効果】
【００１８】
以上記載のごとく本発明によれば、印刷用紙のファンアウトに対応させて容易にドット見当を一致させることの出来る刷板を得ることが出来る。
特に本発明によれば、本製版装置において、各色の印刷ステーション毎にファンアウト量が異なる場合にも、各印刷ステーション毎で印刷された各色の絵柄を、夫々のファンアウトに対応させて容易に色間見当を一致させることの出来る。
【発明を実施するための最良の形態】
【００１９】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【００２０】
図２は本発明の実施形態にかかる機上製版装置の概略構成図で、１は、インキ供給装置１１より版胴１３に巻回されている刷版１３０の絵柄部分にインキを転移させ、該インキを圧胴１４上に搬送されている印刷用紙に転移する印刷機本体１で、シアン、マゼンダ、イエロー及びブラックの各色毎の印刷機ステーション１が直列状に並んでおり、中間胴を挟んで次の印刷機本体１の圧胴１４に印刷用紙を搬送しながら４色の印刷を行うように構成されている。
【００２１】
シアン、マゼンダ、イエロー及びブラックの各色毎の印刷機本体１は、対応する色のインキ供給装置１１、刷板１３０を巻装させた版胴１３、版胴１３に対面配置させた製版装置２、インキ供給装置１１より刷版１３０の絵柄部分に転移させたインキをゴム胴１５を介して圧胴１４に転移し、供給された印刷用紙を圧胴１４上でゴム胴５からインキをうけて印刷が行われる。
一方上記刷版１２は、版胴１３に対面配置させた製版装置２により、版胴１３表面、若しくは版胴１３表面に取り付けられた未露光の刷板１３０に前記製版装置２を利用して印刷機上で印刷絵柄を露光・現像するもので、レーザ書込装置２１と、該書込装置２１をコントロールする書込装置コントローラ２２よりなる。
【００２２】
版胴１３に対面する書込装置２１はレーザを用いてラスターデータに対応するドットパターンを刷版１３０に焼き付けるもので、レーザ露光装置、現像装置、定着装置などで構成され、そして上記製版モードで未露光刷板１３０に露光する場合、露光信号出力タイミングに合わせて版胴１３の同期回転と前記書込装置２１を支持している移動軸２３の回転により前記書込装置２１を副走査方向（版胴軸１２方向と平行な方向）に移動させながら露光するものである。この時精度の良い版面１３Ａのドットパターンを得るために、版胴１３の回転パルスと前記移動軸２３の幅方向位置パルスを書込装置コントローラ２２側で取り込んで、制御装置３内のデータサーバ３１よりシリアルに読み出された描画データ（ラスターデータ）と同期をとってその位置補正と出力補正を行いながら前記書込装置２１内の半導体レーザ発信器に出力する。
【００２３】
尚、図１（Ａ）及び図２に示すように、版胴１３の回転角パルス（回転位相角）は、版胴軸１２に取り付けた版胴駆動モータ２５の軸端に設けた版胴エンコーダ１２Ｂよりの回転角信号により高精度に取得され、又前記移動軸２３の幅方向位置パルス（副走査方向）は前記移動軸２３の軸端若しくは移動軸２３を駆動するサーボモータ２４等の軸端に設けたエンコーダ２３Ｂの回転数と回転位相角により高精度に取得される。
【００２４】
３０は本印刷機の制御装置本体で、描画データ生成部３２よりの絵柄情報に基づいてインキ供給装置１１のインキキー開度調整と圧胴１４や版胴１３、移動軸２３等の回転を行う駆動モータ２５やサーボモータ２４の回転制御を行う。
より具体的には、制御装置本体３０は、図１（Ａ）に示すように、版胴駆動モータ２５の速度一定制御部３０Ｂと、移動軸サーボモータ２４について、版胴エンコーダ１２Ｂよりの信号を受けて版面部と非版面部で速度切り替えを行う速度切り替え制御部３０Ａよりなる。そして前記速度切り替え制御部３０Ａの速度設定は、紙種や版材種類等に基づいて補正マップより得られる補正信号により演算回路２８で設定される。
【００２５】
図２に戻り、描画データ生成部３２は、客先上流システムより対応する各色の画像データ（現像データ）を取り込んで、これをビットマップ状に展開してラスター状の描画データを作成する。そして前記作成された描画データは、データサーバ３１に蓄えられる。
そしてデータサーバに書き込まれた描画データはデータクロックに基づいてシリアルに書込装置コントローラ２２側に送信される。
【００２６】
次にかかる構成に基づく、特に本発明の対応する部分を図２に基づいて説明する。
先ず前記版胴軸１２側のエンコーダ１２Ｂは版胴１３の回転角検出手段、又レーザ書込装置（製版用ビーム書込装置）２１における移動軸２３Ａのエンコーダ２３Ｂは、副走査方向の移動速度検出手段、書込装置コントローラ２２は版胴一回転周期毎の版面への書込みタイミングを検知するタイミング検知手段として夫々機能し、又前記タイミング検知手段の信号に基づいて前記版胴と書込装置の駆動速度を制御する速度制御手段は制御装置本体３０、サーボモータ２４及び版胴の駆動モータ２５として構成される。
【００２７】
そして本実施例においては、前記版胴１３には版面部１３Ａ（ここで版面部とは版胴１３に巻回された刷版１３０位置若しくは該刷版１３０にデータが書き込まれる版面位置のいずれか一方を指す。）と非版面部相互間に移行する際に、速度切り替えが行われるが、その速度切り替えはファンアウト量に対応して行われるために、基本的にはデータの描画ライン方向（主走査方向）と直交する方向（副走査方向）のライン間の幅を制御すればよい。そしてこのような副走査方向の制御は、書込装置２１が移動軸２３により副走査方向に移動制御されているために、書込装置２１よりのデータ出力クロックと版胴の回転速度を高精度に一定に維持しつつ、移動軸２３に基づく書込装置２１の移動速度を変化させればよいことが理解できる。
【００２８】
そして前記非版面部１３Ｂから版面部１３Ａへの速度切り替え、及び前記版面部１３Ａから非版面部１３Ｂへの移動軸２３の回転速度切り替えは前記制御装置本体３０内の速度切り替え制御部３０Ａにより行われるが、この場合、版胴一回転周期毎に書込コントローラ２２より得られる版面への書込み開始及び終期タイミングを検知する垂直同期信号等により行ってもよく、又、版胴エンコーダ１２Ｂの回転角位相パルスのいずれから行っても良い。
特に本発明では、版面上における版胴回転周期毎の各書込み開始位置を同一間隔に設定する必要から版面部１３Ａへの速度切り替えは垂直同期信号に基づいて精度良く行うのがよく、一方、前記版面部１３Ａから非版面部１３Ｂへの速度切り替えは、ファンアウト量に基づいて版面部１３Ａで遅延（増速）した遅延量を戻すための速度切り替えであるために、特別な高精度は必要なく、版胴エンコーダ１２Ｂの回転角位相パルスにより速度切り替え行えばよい。
【００２９】
次に本発明の実施形態の動作を図１及び図４に基づいて具体的に説明する。
即ち、各印刷ステーションでは、前記版胴の副走査方向始端側より終端側に進むに連れ、前記書込装置２１の版胴に対する相対的移動速度を版面部１３Ａ側で増加し、非版面部１３Ｂ側で減少するように、版胴の回転速度と書込装置の副走査方向の移動速度を制御する。
例として夫々の版胴軸と平行な移動軸２３を１０mm／ｓｅｃの速度（副走査方向の速度）で移動しながらデータを書き込む書込装置２１がシアン、マゼンダ、イエロー及びブラックの各色毎の印刷ステーション（１３Ｃ、１３Ｍ、１３Ｙ、１３Ｂ）に配置されている場合、前記各ステーション毎の書込装置２１の版胴に対する相対的移動速度を版面部１３Ａと非版面部１３Ｂ間で逆比例的に速度変化させるとともに、その速度変化量を、各ステーションの上流側より下流側に向け順次異ならせることによりファンアウト万力を用いずに、色間見当を合せることができる。
【００３０】
そして図１（Ｂ）に示すように、加減速度を無視すれば、「版面部１３Ａ」と、「非版面部１３Ｂ」における移動速度は、
副走査方向書き始めライン側では、
「版面部１３Ａ」＝Ｍ−（αｎ／２）ｍｍ／ｓｅｃ
「非版面部１３Ｂ」＝Ｍ＋（αｎ）ｍｍ／ｓｅｃ
副走査方向中央ライン位置では、
「版面部１３Ａ」＝Ｍｍｍ／ｓｅｃ
「非版面部１３Ｂ」＝Ｍｍｍ／ｓｅｃ
副走査方向最終ライン側では、
「版面部１３Ａ」＝Ｍ＋（αｎ／２）ｍｍ／ｓｅｃ
「非版面部１３Ｂ」＝Ｍ−（αｎ）ｍｍ／ｓｅｃ
【００３１】
この場合、印刷用紙毎にファンアウト量は異なると予想されるので、図１（Ａ）に示すように、用紙毎の補正データを納めた補正マップ２９より得られた補正データにより演算回路２８で、印刷データ書込時に印刷条件から最適な補正量を算出することでファンアウトに起因する見当ずれを抑止することができる。
例えば版面上の絵柄は図３（Ｂ）に示すように各色の印刷ステーション（１３Ｃ、１３Ｍ、１３Ｙ、１３Ｂ）毎にくわえ尻側だけ順次５０μｍずつ副走査方向に伸びた形で描画されるとすると、第１印刷ステーション１３Ｃでは５０μｍ、第２印刷ステーション１３Ｍでは１００μｍ、第３印刷ステーション１３Ｙでは１５０μｍ、第４印刷ステーション１３Ｂでは２００μｍ広げる必要がある。
そして前記各ステーション（１３Ｃ、１３Ｍ、１３Ｙ、１３Ｂ）毎の版胴周長は９００ｍｍで、そのうち版が存在するのは６００ｍｍ、版胴は３００ｍｓｅｃ（主走査方向）で１回転すると、版胴中の版面が存在する「版面部１３Ａ」と、版胴中の版が存在しない部分にあたる「非版面部１３Ｂ」との間の主走査方向の時間比が、「２００ｍｓｅｃ／１００ｍｓｅｃ」＝２／１であるとする。
【００３２】
尚、例えば図４に示すように、前記Ｍが１０ｍｍ／ｓｅｃの場合、第１ステーションではα１：０．２５ｍｍ／ｓｅｃ、第２ステーションではα２：０．５ｍｍ／ｓｅｃ、第３ステーションではα３：０．７５ｍｍ／ｓｅｃ、第４ステーションではα４：１ｍｍ／ｓｅｃとなるように設定する。
より具体的には、例えば第２ステーションにおける
副走査方向書き始めライン側では、
「版面部１３Ａ」＝９．５ｍｍ／ｓｅｃ、「非版面部１３Ｂ」＝１１ｍｍ／ｓｅｃ
副走査方向中央ライン位置では、
「版面部１３Ａ」＝１０ｍｍ／ｓｅｃ、「非版面部１３Ｂ」＝１０ｍｍ／ｓｅｃ
副走査方向最終ライン側では、
「版面部１３Ａ」＝１０．５ｍｍ／ｓｅｃ、「非版面部１３Ｂ」＝９ｍｍ／ｓｅｃ
となるように副走査方向の速度制御を徐々に１回転毎に行う。これにより前記速度変化にも関わらず、版胴回転毎の書込み開始位置は常に版面上で同じ間隔を維持するように厳密な速度＆位置制御を行う事が出来る。
【００３３】
これにより図４に示すように、各印刷ステーションの版面の主走査方向始端側の各回転周期毎の副走査方向のライン間隔はｍと一定になるように設定し、一方主走査方向終端側の各回転周期毎の副走査方向のライン間隔は、描画開始ラインでは、その傾き量は（ｎ−α：第１ステーション、ｎ−２α：第２ステーション、…）、描画中央ラインでは、その傾き量は（ｎ：第１ステーション、ｎ：第２ステーション、…）、描画最終ラインでは、その傾き量は（ｎ＋α：第１ステーション、ｎ＋２α：第２ステーション、…）ｍとなるように設定することができる。
【００３４】
尚、本方式では、厳密にはくわえ頭側とくわえ尻側でドットの間隔が一部で異なるが、その量は充分に小さいために問題とならない。
【産業上の利用可能性】
【００３５】
本発明の製版方法若しくは製版装置によれば、印刷用紙のファンアウトに対応させて容易にドット見当を一致させることの出来る刷板を得ることが出来る。
また、本発明によれば、各色の印刷ステーション毎にファンアウト量が異なる場合にも、各印刷ステーション毎で印刷された各色の絵柄を、夫々のファンアウトに対応させて容易に色間見当を一致させることが出来る。
加えて、本発明によれば、刷版の絵柄部分にシアン、マゼンダ、イエロー若しくはブラックの対応するインキを転移させ、該インキを圧胴上に搬送されている印刷用紙に順次転移する枚葉式印刷機械の機上製版においても容易に見当を一致させることができる。
【図面の簡単な説明】
【００３６】
【図１】（Ａ）は本発明の要部構成に係る制御ブロック図、（Ｂ）はそのタイムチャート図である。
【図２】図２は本発明の実施形態にかかる機上製版装置の概略構成図である。
【図３】（Ａ）はラスターデータ書込装置の概略図とその書込状態を示す。（Ｂ）は各印刷ステーション毎の印刷用紙のファンアウト状態を示す。
【図４】本発明の実施例に係る版胴上における書込速度を示す。
【図５】前記版胴のほぼ中心位置を基準速度（平均速度Ａｖ）としてした場合、書込装置位置が駆動端側より操作端側の夫々の位置において、版面部相対速度側と非版面部相対速度側の増減速度変化量を示す。
【符号の説明】
【００３７】
１２        版胴軸
１２Ｂ      版胴エンコーダ
１３        版胴
１３Ａ      版面部
１３Ｂ      非版面部
２１        書込装置
２２        書込装置コントローラ
２３Ａ      移動軸
２３Ｂ      エンコーダ
２４        サーボモータ
２５        駆動モータ
３０        制御装置本体
【図１】
2006085181.tif 000003
【図２】
2006085181.tif 000004
【図３】
2006085181.tif 000005
【図４】
2006085181.tif 000006
【図５】
2006085181.tif 000007